(57)【特許請求の範囲】
【請求項１】
隣り合う外壁パネル本体の端縁部に設けられ、前記外壁パネル本体の表面に対し直角な面である第一側面と、
前記第一側面における表面側の端縁から前記外壁パネル本体の中心方向に向かって直角に屈曲し、前記外壁パネル本体の表面に平行な第一底面と、
前記第一底面における内側の端縁から表面方向に向かって凸状に湾曲又は屈曲し、断面視で表面側の端部における接線が上り勾配である第二側面と、
前記第二側面における表面側の端縁から前記外壁パネル本体の端縁まで延び、前記第二側面における表面側の端縁が入隅形状となっている第三側面と、
を有し、
隣り合う外壁パネル本体の間に形成される目地部の長手方向と直交する方向に化粧横溝が形成され、
前記化粧横溝の底面側に位置する第三底面は、前記第三側面の基端よりも表面側に位置している外壁パネルを２枚用いて、前記第一側面同士を略当接した状態で構成される外壁の目地構造であって、
前記第一側面における表面側の端縁から前記外壁パネル本体の中心方向に延びる底面と、前記底面における内側の端縁から前記外壁パネル本体の表面方向に延びる第二側面とによって凹部が区画され、前記凹部に前記第三側面の基端まで充填される湿式シール材を有する外壁の目地構造。
【請求項２】
前記目地部の長手方向と平行な方向に化粧縦溝が形成され、
前記化粧縦溝の断面形状は、前記目地部における対向する一対の前記第三側面の基端同士を結ぶ直線に対応する第二底面と、前記第三側面に対応する第四側面とを有することを特徴とする請求項１に記載の外壁の目地構造。
【発明の詳細な説明】
【技術分野】
【０００１】
本発明は、外壁パネル及び外壁の目地構造に関する。
【背景技術】
【０００２】
従来、軽量気泡コンクリート（ＡＬＣ）等からなる外壁パネルを取り付けて構成された建物では、隣接する外壁パネル間に形成される目地にシーリング材を充填して防水性能を確保した目地構造が知られている。
【０００３】
かかる目地にシーリング材を装填するものとしては、例えば下記特許文献１に記載されたものが知られている。下記特許文献１には、目地にシーリング材が打設されたシーリングポケットの断面形状が記載されている。より詳細には、図５に示すように、外装パネルにおける目地のシーリングポケット１の断面形状であって、底面部２から出口まで徐々に開いた側面部９があり該出口が入隅形状である第１シーリングポケット４と、該出口から先は平行またはやや表面側に開いた僅かな立上がり部１６があり該立上がり部１６の終端が出隅形状である第２シーリングポケット５とを有する目地が下記特許文献１に記載されている。このようにシーリングポケットの断面形状が構成されることにより、断面視で滑らかな曲線形状が描かれ、防水性を確保しながら外壁パネル意匠性を向上させることができる。
【先行技術文献】
【特許文献】
【０００４】
【特許文献１】特開２００１−０４９８３０号公報
【発明の概要】
【発明が解決しようとする課題】
【０００５】
ところで、外壁パネル間に形成される目地構造にあっては、シャープな印象を感じさせる構造を好む顧客も多い。上記特許文献１に記載された目地構造では、断面視で目地構造全体として滑らかな曲線形状が描かれているため、外壁パネル全体として滑らかな印象を顧客に感じさせるものである。このような構造にあっては、滑らかな印象を感じさせる外壁パネルを好む顧客の要望を満足させることができるものの、シャープな印象を感じさせる外壁パネルを好む顧客の要望を満足させることができないという問題があった。このように、従来では、防水性能を確保しながらシャープな印象を感じさせる外壁パネル及び外壁の目地構造について改善すべき課題は依然として残っていた。
【０００６】
本発明はこのような課題に鑑みてなされたものであり、防水性能を確保しつつシャープな印象を与えることができる外壁パネル及び外壁の目地構造を提供することを目的とする。
【課題を解決するための手段】
【０００７】
上記課題を解決するために本発明に係る外壁パネルは、隣り合う外壁パネル本体の間に目地部が形成される外壁パネルであって、前記外壁パネル本体の端縁部に設けられ、前記外壁パネル本体の表面に対し直角な面である第一側面と、前記第一側面における表面側の端縁から前記外壁パネル本体の中心方向に向かって直角に屈曲し、前記外壁パネル本体の表面に平行な第一底面と、前記第一底面における内側の端縁から表面方向に向かって凸状に湾曲又は屈曲し、断面視で表面側の端部における接線が上り勾配である第二側面と、前記第二側面における表面側の端縁から前記外壁パネル本体の端縁まで延び、前記第二側面における表面側の端縁が入隅形状となっている第三側面と、を有する。
【０００８】
本発明に係る外壁パネルでは、外壁パネル本体の端縁部であって、第二側面の表面側の端縁から外壁パネル本体の端縁まで延び、第二側面における表面側の端縁が入隅形状となっている第三側面とを有する。このため、第二側面と第三側面との入隅部が直線として視認されるので、防水性能を確保しながらシャープな印象を与えることができる外壁パネルを提供することができる。
【０００９】
また本発明に係る外壁パネルでは、前記目地部の長手方向と平行な方向に化粧縦溝が形成され、前記化粧縦溝の断面形状は、前記目地部における対向する一対の前記第三側面の基端同士を結ぶ直線に対応する第二底面と、前記第三側面に対応する第四側面とを有することも好ましい。
【００１０】
また本発明に係る外壁パネルでは、前記目地部の長手方向と直交する方向に化粧横溝が形成され、前記化粧横溝の底面は、前記第二側面における表面側の端縁よりも表面側に位置していることも好ましい。
【００１１】
また本発明に係る外壁の目地構造では、請求項１乃至３のいずれか１項に記載の２枚の外壁パネルを用いて前記第一側面同士を略当接した状態で構成されるものであって、前記第一側面における表面側の端縁から前記外壁パネル本体の中心方向に延びる底面と、前記底面における内側の端縁から前記外壁パネル本体の表面方向に延びる第二側面とによって凹部が区画され、前記凹部に充填される湿式シール材を有することを特徴とする。
【発明の効果】
【００１２】
本発明によれば、防水性能を確保しつつシャープな印象を与えることができる外壁パネル及び外壁の目地構造を提供することができる。
【図面の簡単な説明】
【００１３】
【図１】本発明の実施形態における外壁パネルを示す概略断面図である。
【図２】化粧縦溝及び化粧横溝について説明するための図である。
【図３】化粧横溝について説明するための図である。
【図４】図１に示す円ＩＶの拡大図である。
【図５】従来の外壁パネルを説明するための図である。
【発明を実施するための形態】
【００１４】
以下添付図面を参照しながら本発明の実施形態について説明する。説明の理解を容易にするため、各図面において同一の構成要素に対しては可能な限り同一の符号を付して、重複する説明は省略する。
【００１５】
まず、図１を参照しながら本発明の実施形態における外壁パネル及び外壁の目地構造について説明する。図１は、隣り合う外壁パネル１１（外壁パネル本体）の間に形成される目地３（目地構造）について示す概略断面図である。
【００１６】
なお、図１にて外壁パネル１１の上側が外気側であると共に下側が室内側であって、以下の説明においては、図１中の外壁パネル１１の上側（上方向）を当該外壁パネル１１の「表面側（表面方向）」と称し、図１中の外壁パネル１１の下側（下方向）を当該外壁パネル１１の「奥側（奥方向）」又は「裏面側（裏面方向）」と称することとする。また外壁パネル１１の中心側（中心に向かう方向）を当該外壁パネル１１の「内側（中心方向）」と称することとする。
【００１７】
外壁パネル１１は、例えば一般的に流通しているＡＬＣ（Autoclaved Light-weight Concrete；軽量気泡コンクリート）からなる方形の板状部材であり、鉄骨造建物の外周部に並べて取り付けられて建物の外壁１を構成するものである。外壁パネル１１の他の具体例としては、ＰＣａ板、ＧＲＣ、押出し成形セメント板、窯業系サイディング、金属サイディング、塗装鋼板、金属パネル、ガラス、石材等が挙げられる。
【００１８】
図１に示すように、隣り合う外壁パネル１１の間には目地３（目地構造）が形成され、当該目地３は、第一側面１３１と、第一底面１１１と、第二側面１３２と、第三側面１３３とを備える。なお、第一側面１３１、第一底面１１１、第二側面１３２及び第三側面１３３を含む面を、外壁パネル１１の「端縁部」とも称することとする。
【００１９】
第一側面１３１は、目地３の奥側（図１では下側）に位置する面であって、外壁パネル１１の表面１２に対し直角な面である。第一側面は、第二側面１３２及び第三側面１３３よりも奥側に位置している。複数の外壁パネル１１が面一状に連接して並べられると、図１に示すように、隣り合う外壁パネル１１の第一側面１３１同士は、略当接するようになっている。このように第一側面１３１同士が略当接した状態で、外壁の目地構造が構成されるものである。
【００２０】
第一底面１１１は、第一側面１３１の表面側の端縁Ｃ１から外壁パネル１１の中心方向（図１に示す左側の外壁パネル１１ａに対しては左方向、図１に示す右側の外壁パネル１１ｂに対しては右方向）に向かって略直角に屈曲し、外壁パネル１１の表面１２に平行な面である。なお、図１では第一底面１１１は、外壁パネル１１の表面１２に平行な面となっているが、これに限定されるものではなく、屈曲した形状や湾曲した形状等様々な形状が選択され得る。
【００２１】
第二側面１３２は、第一底面１１１における内側（図１の左側の外壁パネル１１ａに対しては左側、図１の右側の外壁パネル１１ｂに対しては右側）の端縁Ｃ２から表面方向に向かって凸状に湾曲又は屈曲する面である。図１に示すように、本実施形態における外壁１の目地３（目地構造）にあっては、上述した第一側面１３１における表面側の端縁Ｃ１から外壁パネル１１の中心方向に延びる第一底面１１１（底面）と、当該第一底面１１１における内側の端縁Ｃ２から表面方向に延びる第二側面１３２とによって断面視凹状の溝（凹部）が区画され、当該凹部にシール材５１が充填されるものである。
【００２２】
第二側面１３２について更に説明する。第二側面１３２は、その表面側（図１では上側）の面１３２ａと奥側（図１では下側）の面１３２ｂとを備え、奥側の面１３２ｂの下端が第一底面１１１の端縁Ｃ２に接続されている。第二側面１３２における奥側の面１３２ｂと、第二側面１３２における表面側の面１３２ａとが交差することで、出隅部Ｃ３が形成されている。第二側面１３２における表面側の面（端部）１３２ａは、目地３が奥側から表面側に向かうにつれて幅広になるように、傾斜した面を有している。より詳細には、第二側面１３２の端部１３２ａは、当該端部１３２ａにおける接線が上り勾配となるように傾斜した面を有している。なお、図１では、第二側面における奥側の面１３２ｂ及び第二側面１３２における表面側の面１３２ａはそれぞれ平面形状を有しているものであるが、これに限定されるものではなく、曲面形状や湾曲している形状等、様々なものが選択されうる。
【００２３】
第三側面１３３は、第二側面１３２における表面側の端縁Ｅ２（以下、「第三側面１３３の基端Ｅ２」とも称する）から外壁パネル１１の表面側の端縁Ｅ１まで延びる面である。第三側面１３３と第二側面１３２とが交差することで、当該第三側面１３３の基端Ｅ２は入隅形状になっている。第三側面１３３は、その基端Ｅ２から外壁パネル１１の端縁Ｅ１まで直線状に延びるように設けられている。図１に示すように、第三側面１３３は、その基端Ｅ２から外壁パネル１１の端縁Ｅ１に向かって、目地３が幅広になるように開いた平面形状を有しているが、外壁パネル１１の表面１２に対して垂直な平面形状であっても良く、その形状や大きさ等は様々なものが選択され得る。第三側面１３３の寸法の詳細については、図４を参照しながら後述する。
【００２４】
シール材５１について説明する。図１に示すように、隣り合う外壁パネル１１間の目地３には、シール材５１が充填されている。シール材５１は、外壁パネル１１間の目地３を例えば水密構造とする機能を有するものである。図１に示すように、シール材５１は、目地３の奥側に位置する第一底面１１１から第三側面１３３の基端Ｅ２（入隅部）まで充填されている。換言すれば、第二側面１３２と第三側面１３３とのなす入隅部まで（入隅部を覆わないように）シール材５１が充填されている。このように構成することで、入隅部及び出隅部（外壁パネル１１の表面側の端縁Ｅ１）が直線として視認され、シャープな印象を与えることができる。また、図１に示すように、第二側面１３２における表面側の面１３２ａの近傍に充填されるシール材５１は、奥側から表面側に向かうにつれて徐々に厚みが減じられているので、界面剥離を生じにくくすることができる。
【００２５】
なお、シール材５１としては、外壁パネルの材質等に応じて一般的に流通している湿式シール材（湿式シーリング材）を適宜選択して用いることができ、特にＡＬＣからなる外壁パネルに対しては、柔軟性に富み、地震等の外力により変形した際に母材の破壊を生じさせにくい変成シリコーン系、アクリルウレタン系、ポリウレタン系等のシーリング材が好ましい。また、具体例として、ＪＩＳ Ａ ５７５８：１９９７に規定されるシリコーン系、変性シリコーン系、ポリサルファイド系、アクリルウレタン系、ポリウレタン系、変性ポリサルファイド系、アクリル系、ＳＢＲ系、ブチルゴム系、ポリイソブチレン系のものなどが挙げられる。ペースト状のシール材５１は例えばシーリングガンを用いて目地３（凹部）に打設され、その後、へらを用いてその表面を加圧しながら均すことで目地３（凹部）に充填されると同時にシール材５１の表面が平滑に仕上げられる。
【００２６】
上記へらとしては、目地３の表面の断面形状に対応した先端形状（本実施例では一直線状）を有し、先端の両端の隅角部が２つの第三側面１３３の基端Ｅ２に隙間なく接触するように構成されたものを用いるのが好ましい。このようなへらを用いること、すなわち、先端の両端の隅角部が第三側面１３３の基端Ｅ２に接触した状態を保って移動させることで、目地３の表面が波打って美観を損ねることが防止でき、性能上必要なシール材５１の充填量も確保することができる。
【００２７】
続いて図２、図３を参照しながら化粧縦溝３１及び化粧横溝４１について説明する。図２は、建物の外壁１の一部を示す概略斜視図である。図３は、化粧横溝４１について更に説明するための図である。なお、図２に示す目地３の延びる方向（図２では上下方向）が、「目地部の長手方向」に相当するものである。
【００２８】
図２に示すように、複数の外壁パネル１１が面一状に連接されて建物の外壁１を構成している。上述したように隣り合う外壁パネル１１間には目地３が形成され、当該目地３にはシール材５１が充填されている。そして、当該目地３に対応するように、外壁１の縦方向（図２では上下方向）に延びるように化粧縦溝３１が設けられている。
【００２９】
化粧縦溝３１は、目地３と平行な方向（図２では上下方向）に延びて形成されている。化粧縦溝３１は、外壁パネル１１の表面側に開口して断面視凹状に形成されている。化粧縦溝３１は、断面視で底面側に位置する縦溝側底面３１１（第二底面）と、側面側に位置する一対の縦溝側側面３１２（第四側面）とを有する。
【００３０】
図２に示すように、第二底面３１１は、外壁パネル１１の表面１２に対して平行な平面となっている。第二底面３１１は、目地３における相対向する一対の第三側面１３３の基端Ｅ２同士を結ぶ直線に対応するように形成されている。第四側面３１２は、外壁パネル１１の表面１２に対して垂直又は、若干の傾斜（化粧縦溝３１の幅（図２では左右方向の大きさ）が奥側から表面側に向かうにつれて幅広になるように傾斜）した平面となっている。一対の第四側面３１２は、目地３における一対の第三側面１３３に対応するように形成されている。図２では、縦溝側底面３１１及び縦溝側側面３１２は平面形状を有しているがこれに限定されるものではなく、曲面形状や湾曲した形状等様々な形状が形成され得る。
【００３１】
縦方向（図２では上下方向）に隣り合う外壁パネル１１の間には、化粧横溝４１が形成されている。化粧横溝４１は、目地３の延びる方向（目地部の長手方向）と略直交する方向（図２では左右方向）に延びるように設けられている。
【００３２】
図３に示すように、化粧横溝４１は、外壁パネル１１の表面側に開口して断面視凹状に形成されている。化粧横溝４１は、断面視で底面側に位置する横溝側底面４１１（第三底面）と、側面側に位置する一対の横溝側側面４１２とを有する。化粧横溝４１における第三底面４１１の位置は、目地３における第二側面１３２の表面側の端縁Ｅ２（第三側面１３３の基端Ｅ２）を含む面の位置よりも表面側に設けられている。言い換えれば、化粧横溝４１の深さは、第三側面１３３の深さ（外壁パネル１１の表面１２から第三側面１３３の基端Ｅ２までの距離）よりも浅くなっている。
【００３３】
このように化粧横溝４１の深さが、第三側面１３３の深さ（外壁パネル１１の表面１２から第三側面１３３の基端Ｅ２までの距離）よりも浅くなっているため、第三側面１３３の基端Ｅ２まで充填されるシール材５１の充填作業をする場合においても、シール材５１が化粧横溝４１にはみ出すことを抑制することができる。
【００３４】
続いて、図４を参照しながら第三側面１３３について更に説明する。図４は、図１に示す円ＩＶ内の拡大図であって、第三側面１３３を示す拡大斜視図である。
【００３５】
図４に示すように、第三側面１３３は、外壁パネル１１の表面１２に対して垂直な方向から所定角度傾斜している。詳細には、第三側面１３３は、外壁パネル１１の表面１２に対して垂直な方向の寸法Ｄ３（Ｅ１−Ｅ２間における垂直方向（図４では上下方向）の距離）が例えば９ｍｍ程度であり、外壁パネル１１の表面１２に対して水平な方向の寸法Ｄ４（Ｅ１−Ｅ２間における水平方向（図４では左右方向）の距離）が例えば２ｍｍ〜４ｍｍ程度となるように傾斜している。なお、第三側面１３３については図４で示した寸法や角度に限定されず、外壁パネル１１の表面１２に対し略垂直となるように第三側面１３３を形成しても良く、様々な形状や大きさが選択され得る。また、本実施形態における第三側面１３３は、その基端Ｅ２から外壁パネル１１における表面側の端縁Ｅ１まで、平面形状となっているがこれに限定されず、湾曲した形状や途中で屈曲した形状を有していてもよい。
【００３６】
図４に示したように第三側面１３３が設けられているため、目地３の幅方向の寸法Ｄ１（図１等参照）は、従来の目地における幅方向の寸法Ｄ２（図５参照）よりも小さい寸法となっている。このように構成されているため、目地３（例えば第三側面１３３やシール材５１の表面）に塵埃等の汚れが付着したとしても、汚れを目立ちにくくすることができる。また本実施形態における目地３では、従来よりもシール材５１が外壁パネル１１の表面１２から奥まった位置に充填されているため、目地３に汚れが付着したとしても汚れを目立ちにくくすることができる。
【００３７】
以上、具体例を参照しつつ本発明の実施形態について説明した。しかし、本発明はこれらの具体例に限定されるものではない。すなわち、これら具体例に、当業者が適宜設計変更を加えたものも、本発明の特徴を備えている限り、本発明の範囲に包含される。前述した各具体例が備える各要素およびその配置、材料、条件、形状、サイズなどは、例示したものに限定されるわけではなく適宜変更することができる。
【符号の説明】
【００３８】
１：外壁
３：目地（目地構造）
１１：外壁パネル
３１：化粧縦溝
４１：化粧横溝
５１：シール材
１１１：第一底面
１３１：第一側面
１３２：第二側面
１３３：第三側面
３１１：縦溝側底面（第二底面）
３１２：縦溝側側面（第四側面）
４１１：横溝側底面（第三底面）
【図１】
0006487660.tif 000002
【図２】
0006487660.tif 000003
【図３】
0006487660.tif 000004
【図４】
0006487660.tif 000005
【図５】
0006487660.tif 000006